(57)【要約】  本発明は、移動局４００が、第１無線基地局２００との間で通信を行っている間に、第２無線基地局２０１によって共通制御チャネルを介して送信された第２無線基地局２０１に係る情報を取得して、無線制御装置１００に送信する工程と、無線制御装置１００が、第２無線基地局２０１に係る情報を受信した場合に、移動局４００と第１無線基地局２００とに対して測定指示を送信し、する工程と、かかる測定結果に応じて、移動局４００の位置情報を決定して管理する工程とを有する。
2009145211.tif 000002
【特許請求の範囲】
【請求項１】
移動局の位置情報を管理する位置情報管理方法であって、
前記移動局が、第１無線基地局との間で通信を行っている間に、第２無線基地局によって共通制御チャネルを介して送信された該第２無線基地局に係る情報を取得する工程Ａと、
前記移動局が、取得した前記第２無線基地局に係る情報を、ネットワーク装置に送信する工程Ｂと、
前記ネットワーク装置が、前記第２無線基地局に係る情報を受信した場合に、前記移動局、及び、前記第１無線基地局或いは前記第２無線基地局に対して、測定指示を送信する工程Ｃと、
前記移動局、及び、前記第１無線基地局或いは前記第２無線基地局が、前記測定指示によって指示されている測定を行い、該測定結果を前記ネットワーク装置に報告する工程Ｄと、
前記ネットワーク装置が、前記移動局、及び、前記第１無線基地局或いは前記第２無線基地局によって報告された前記測定結果に応じて、該移動局の位置情報を決定して管理する工程Ｅとを有することを特徴とする位置情報管理方法。
【請求項２】
前記工程Ａにおいて、前記移動局は、前記第２無線基地局における共通制御チャネル送信用として割り当てられている周波数と送信タイミングと拡散符号とを用いて、前記共通制御チャネルを介して送信された該第２無線基地局に係る情報を取得することを特徴とする請求項１に記載の位置情報管理方法。
【請求項３】
前記工程Ｂにおいて、前記移動局は、前記第２無線基地局に係る情報として、前記第２無線基地局の識別情報と、前記第２無線基地局における共通制御チャネル送信用として割り当てられている周波数、送信タイミング、拡散符号のうちの少なくとも１つとを、前記ネットワーク装置に送信することを特徴とする請求項１に記載の位置情報管理方法。
【請求項４】
前記工程Ｃにおいて、前記ネットワーク装置は、前記第１無線基地局或いは前記第２無線基地局に対して、前記測定指示によって、前記移動局に対する測定用信号の送信タイミングと該移動局からの応答信号の受信タイミングとの間の第１時間差を測定するように指示し、
前記工程Ｃにおいて、前記ネットワーク装置は、前記移動局に対して、前記移動局における前記測定用信号の受信タイミングと該移動局における応答信号の送信タイミングとの間の第２時間差を測定するように指示することを特徴とする請求項１に記載の位置情報管理方法。
【請求項５】
前記工程Ｄにおいて、前記第１無線基地局或いは前記第２無線基地局は、前記測定結果として、前記第１時間差を、前記ネットワーク装置に報告し、
前記工程Ｄにおいて、前記移動局は、前記測定結果として、前記第２時間差を、前記ネットワーク装置に報告することを特徴とする請求項４に記載の位置情報管理方法。
【請求項６】
前記工程Ｅにおいて、前記ネットワーク装置は、前記測定結果に加えて、前記第１無線基地局或いは前記第２無線基地局の設置位置、又は、前記第１無線基地局或いは前記第２無線基地局によって管理されているセルの中央位置に基づいて、前記移動局の位置情報を決定することを特徴とする請求項１に記載の位置情報管理方法。
【請求項７】
移動局の位置情報を管理するように構成されているネットワーク装置であって、
第１無線基地局との間で通信を行っている前記移動局によって第２無線基地局から共通制御チャネルを介して取得された該第２無線基地局に係る情報を受信した場合に、該移動局、及び、該第１無線基地局或いは該第２無線基地局に対して、測定指示を送信するように構成されている測定指示部と、
前記移動局、及び、前記第１無線基地局或いは前記第２無線基地局が、前記測定指示によって指示されている測定を行い、該測定結果を前記ネットワーク装置に報告した場合に、報告された該測定結果に応じて、該移動局の位置情報を決定するように構成されている決定部とを有することを特徴とするネットワーク装置。
【請求項８】
前記測定指示部は、前記第１無線基地局或いは前記第２無線基地局に対して、前記測定指示によって、前記移動局に対する測定用信号の送信タイミングと該移動局からの応答信号の受信タイミングとの間の第１時間差を測定するように指示し、
前記測定指示部は、前記移動局に対して、前記移動局における前記測定用信号の受信タイミングと該移動局における応答信号の送信タイミングとの間の第２時間差を測定するように指示することを特徴とする請求項７に記載のネットワーク装置。
【請求項９】
前記決定部は、前記測定結果に加えて、前記第１無線基地局或いは前記第２無線基地局の設置位置、又は、前記第１無線基地局或いは前記第２無線基地局によって管理されているセルの中央位置に基づいて、前記移動局の位置情報を決定するように構成されていることを特徴とする請求項７に記載のネットワーク装置。
【発明の詳細な説明】
【技術分野】
【０００１】
本発明は、移動局の位置情報を管理する位置情報管理方法及びネットワーク装置に関する。
【背景技術】
【０００２】
一般的に、移動通信システムでは、不規則に発生する移動局からの接続要求に応えるために、ネットワーク管理者が、公衆通信用無線基地局の運用を開始した後は、かかる公衆通信用無線基地局は、定常的に、通信サービスを提供するように構成されている。【０００３】
例えば、ネットワーク管理者による公衆通信用無線基地局の運用を開始する際に、以下のような作業が行われることが想定される。【０００４】
第１工程において、ネットワーク管理者（保守者）自らが、公衆通信用無線基地局を設置して各種の結線等を行った後に、当該公衆通信用無線基地局の電源を投入して上位ノードとの間の回線を開通させる。【０００５】
第２工程において、ネットワーク経由で、若しくは、ネットワーク管理者の手動入力により、当該公衆通信用無線基地局に、各種パラメータを設定する。【０００６】
そして、ネットワーク管理者は、各種パラメータ設定を反映させて当該公衆通信用無線基地局の運用を開始した後は、故障又は構成変更等の理由で、当該公衆通信用無線基地局の再起動が必要な場合を除き、可能な限り、当該公衆通信用無線基地局による通信サービスの提供を中断することなく継続している。【０００７】
また、ネットワーク管理者は、当該公衆通信用無線基地局を撤去する場合には、当該公衆通信用無線基地局による通信サービスの提供を終了した上で、当該公衆通信用無線基地局の電源を切断する。【０００８】
以上の運用は、公衆通信用無線基地局についてのものであるが、ホーム無線基地局（Ｈｏｍｅ  ｅＮＢ）と呼ばれるような家庭等の小規模なエリアに設置される無線基地局においても、基本的に同様の運用が行われるものと予想される。
【発明の概要】
【発明が解決しようとする課題】
【０００９】
しかしながら、ユーザ自らが、ホーム無線基地局を購入して設置することが見込まれているため、上述の第１工程及び第２工程における作業を行うことを、ユーザに強いることになり、ホーム無線基地局の位置情報（設置場所情報）が不確定になり、位置情報サービスの精度が下がるという懸念が生じる。【００１０】
かかる懸念を解消するための方法として、以下の方法等が想定される。【００１１】
（１）  ホーム無線基地局にＧＰＳ機能を実装させて、当該ＧＰＳ機能を用いて当該ホーム無線基地局の位置情報を取得する方法
（２）  ホーム無線基地局にて、周辺の無線基地局から共通制御チャネルを介して送信された当該周辺の無線基地局の識別情報を取得することにより、当該ホーム無線基地局の位置情報を取得する方法
しかしながら、（１）の方法については、ホーム無線基地局にＧＰＳ機能を実装させる必要があり、（２）の方法については、周辺の無線基地局から共通制御チャネルを介して送信される情報を受信するための受信機能やフィルタ等のハードウェアを準備する必要がある。【００１２】
そこで、本発明は、上述の課題に鑑みてなされたものであり、ホーム無線基地局に、ＧＰＳ機能や共通制御チャネル用受信機能等のホーム無線基地局の位置情報を取得するための手段を実装させることなく、当該ホーム無線基地局に収容されている移動局の位置情報を高精度に管理することができる位置情報管理方法及びネットワーク装置を提供することを目的とする。
【課題を解決するための手段】
【００１３】
本発明の第１の特徴は、移動局の位置情報を管理する位置情報管理方法であって、前記移動局が、第１無線基地局との間で通信を行っている間に、第２無線基地局によって共通制御チャネルを介して送信された該第２無線基地局に係る情報を取得する工程Ａと、前記移動局が、取得した前記第２無線基地局に係る情報を、ネットワーク装置に送信する工程Ｂと、前記ネットワーク装置が、前記第２無線基地局に係る情報を受信した場合に、前記移動局、及び、前記第１無線基地局或いは前記第２無線基地局に対して、測定指示を送信する工程Ｃと、前記移動局、及び、前記第１無線基地局或いは前記第２無線基地局が、前記測定指示によって指示されている測定を行い、該測定結果を前記ネットワーク装置に報告する工程Ｄと、前記ネットワーク装置が、前記移動局、及び、前記第１無線基地局或いは前記第２無線基地局によって報告された前記測定結果に応じて、該移動局の位置情報を決定して管理する工程Ｅとを有することを要旨とする。【００１４】
本発明の第１の特徴において、前記工程Ａにおいて、前記移動局は、前記第２無線基地局における共通制御チャネル送信用として割り当てられている周波数と送信タイミングと拡散符号とを用いて、前記共通制御チャネルを介して送信された該第２無線基地局に係る情報を取得してもよい。【００１５】
本発明の第１の特徴において、前記工程Ｂにおいて、前記移動局は、前記第２無線基地局に係る情報として、前記第２無線基地局の識別情報と、前記第２無線基地局における共通制御チャネル送信用として割り当てられている周波数、送信タイミング、拡散符号のうちの少なくとも１つとを、前記ネットワーク装置に送信してもよい。【００１６】
本発明の第１の特徴において、前記工程Ｃにおいて、前記ネットワーク装置は、前記第１無線基地局或いは前記第２無線基地局に対して、前記測定指示によって、前記移動局に対する測定用信号の送信タイミングと該移動局からの応答信号の受信タイミングとの間の第１時間差を測定するように指示し、前記工程Ｃにおいて、前記ネットワーク装置は、前記移動局に対して、前記移動局における前記測定用信号の受信タイミングと該移動局における応答信号の送信タイミングとの間の第２時間差を測定するように指示してもよい。【００１７】
本発明の第１の特徴において、前記工程Ｄにおいて、前記第１無線基地局或いは前記第２無線基地局は、前記測定結果として、前記第１時間差を、前記ネットワーク装置に報告し、前記工程Ｄにおいて、前記移動局は、前記測定結果として、前記第２時間差を、前記ネットワーク装置に報告してもよい。【００１８】
本発明の第１の特徴において、前記工程Ｅにおいて、前記ネットワーク装置は、前記測定結果に加えて、前記第１無線基地局或いは前記第２無線基地局の設置位置、又は、前記第１無線基地局或いは前記第２無線基地局によって管理されているセルの中央位置に基づいて、前記移動局の位置情報を決定してもよい。【００１９】
本発明の第２の特徴は、移動局の位置情報を管理するように構成されているネットワーク装置であって、第１無線基地局との間で通信を行っている前記移動局によって第２無線基地局から共通制御チャネルを介して取得された該第２無線基地局に係る情報を受信した場合に、該移動局、及び、該第１無線基地局或いは該第２無線基地局に対して、測定指示を送信するように構成されている測定指示部と、前記移動局、及び、前記第１無線基地局或いは前記第２無線基地局が、前記測定指示によって指示されている測定を行い、該測定結果を前記ネットワーク装置に報告した場合に、報告された該測定結果に応じて、該移動局の位置情報を決定するように構成されている決定部とを有することを要旨とする。【００２０】
本発明の第２の特徴において、前記測定指示部は、前記第１無線基地局或いは前記第２無線基地局に対して、前記測定指示によって、前記移動局に対する測定用信号の送信タイミングと該移動局からの応答信号の受信タイミングとの間の第１時間差を測定するように指示し、前記測定指示部は、前記移動局に対して、前記移動局における前記測定用信号の受信タイミングと該移動局における応答信号の送信タイミングとの間の第２時間差を測定するように指示してもよい。【００２１】
本発明の第２の特徴において、前記決定部は、前記測定結果に加えて、前記第１無線基地局或いは前記第２無線基地局の設置位置、又は、前記第１無線基地局或いは前記第２無線基地局によって管理されているセルの中央位置に基づいて、前記移動局の位置情報を決定するように構成されていてもよい。
【発明の効果】
【００２２】
以上説明したように、本発明によれば、ホーム無線基地局に、ＧＰＳ機能や共通制御チャネル用受信機能等のホーム無線基地局の位置情報を取得するための手段を実装させることなく、当該ホーム無線基地局に収容されている移動局の位置情報を高精度に管理することができる位置情報管理方法及びネットワーク装置を提供することができる。
【図面の簡単な説明】
【００２３】
【図１】図１は、本発明の第１の実施形態に係る移動通信システムの全体構成図である。
【図２】図２は、本発明の第１の実施形態に係る移動通信システムを構成する各装置の機能ブロック図である。
【図３】図３は、本発明の第１の実施形態に係る移動通信システムにおいて、移動局と無線基地局との間の遅延時間を測定する原理を説明するための図である。
【図４】図４は、本発明の第１の実施形態に係る移動通信システムにおいて、移動局の位置情報を推定する原理を説明するための図である。
【図５】図５は、本発明の第１の実施形態に係る移動通信システムの動作を示すシーケンス図である。
【図６】図６は、本発明の変更例１に係る移動通信システムの全体構成図である。
【図７】図７は、本発明の変更例２に係る移動通信システムの全体構成図である。
【発明を実施するための形態】
【００２４】
（本発明の第１の実施形態に係る移動通信システムの構成）
図１乃至図４を参照して、本発明の第１の実施形態に係る移動通信システムの構成について説明する。
【００２５】
図１に示すように、本実施形態に係る移動通信システムは、上位ノード５００と、上位ノード５００に収容されている無線制御装置（ＲＮＣ：Ｒａｄｉｏ  Ｎｅｔｗｏｒｋ  Ｃｏｎｔｒｏｌｌｅｒ）１００と、無線制御装置１００に収容されている無線基地局（ＮｏｄｅＢ）２００、２０１とを具備している。
【００２６】
本実施形態では、上位ノード５００及び無線制御装置１００が、本発明に係るネットワーク装置に該当する。
【００２７】
本実施形態に係る移動通信システムは、移動局４００の位置情報を管理しており、他の移動局等から要求に応じて、当該移動局４００の位置情報を提供するように構成されている。
【００２８】
なお、無線基地局２００（第１無線基地局）は、ネットワーク管理者（例えば、通信事業者等）によって設置される公衆通信用無線基地局であり、無線基地局２０１（第２無線基地局）は、ユーザによって設置されるホーム無線基地局である。
【００２９】
ここで、ホーム無線基地局である無線基地局２０１には、アクセスリストを用いて、無線基地局２０１に対するアクセスを許可又は規制する移動局を設定することができるものとする。
【００３０】
無線制御装置１００は、図１に示すように、各無線基地局の設置情報３００を管理するように構成されている。かかる設置情報として、無線制御装置１００に収容されている無線基地局ごとに、当該無線基地局の設置位置（緯度、経度、高度）或いは当該無線基地局によって管理されているセルの中央位置（緯度、経度、高度）が管理されている。
【００３１】
かかる設置情報は、各無線基地局に収容されている移動局４００の位置情報を検出するために利用される。
【００３２】
ただし、無線基地局２００の設置情報は、ネットワーク管理者によって測定されているものであるため、信頼性は高いが、無線基地局２０１の設置情報は、ユーザからの申告に基づくものであるため、信頼性が低い。
【００３３】
具体的には、図２に示すように、無線制御装置１００は、位置測定指示部１０１と、測定結果管理部１０２と、位置情報要素提供部１０３とを具備している。
【００３４】
位置測定指示部１０１は、無線基地局２００又は２０１を介して移動局４００から無線基地局２０１（第２無線基地局）に係る情報を受信した場合に、移動局４００と、無線基地局２００或いは２０１とに対して、測定指示を送信するように構成されている。
【００３５】
ここで、無線基地局２０１（第２無線基地局）に係る情報には、無線基地局２０１の識別情報（ＢＳＩＤ）と、無線基地局２０１における共通制御チャネル送信用として割り当てられている周波数、送信タイミング、拡散符号のうちの少なくとも１つとが含まれている。
【００３６】
また、位置測定指示部１０１は、無線基地局２００或いは２０１に対して、上述の測定指示によって、移動局４００に対する測定用信号の送信タイミングと移動局４００からの応答信号の受信タイミングとの間の第１時間差（Ｒｏｕｎｄ  Ｔｒｉｐ  Ｔｉｍｅ）を測定するように指示する（図３参照）。
【００３７】
一方、位置測定指示部１０１は、移動局４００に対して、移動局４００における測定用信号の受信タイミングと移動局４００における応答信号の送信タイミングとの間の第２時間差（送受信タイミング差）を測定するように指示する（図３参照）。
【００３８】
測定結果管理部１０２は、移動局４００、及び、無線基地局２００或いは２０１によって報告された測定結果（例えば、第１時間差及び第２時間差）を受信して管理するように構成されている。
【００３９】
位置情報要素提供部１０３は、上位ノード５００からの要求に応じて、測定結果管理部１０２によって管理されている測定結果を、位置情報要素として上位ノード５００に提供するように構成されている。
【００４０】
ここで、位置情報要素提供部１０３は、位置情報要素として、上述の無線基地局の設置情報についても、上位ノード５００に提供するように構成されている。
【００４１】
また、図２に示すように、無線基地局２００又は２０１は、無線基地局情報転送部２０１と、測定部２０２と、測定結果通知部２０３とを具備している。
【００４２】
無線基地局情報転送部２０１は、移動局４００から送信された無線基地局２０１に係る情報を、無線制御装置１００に転送するように構成されている。なお、無線基地局２０１は、無線基地局情報転送部２０１を具備していなくてもよい。
【００４３】
測定部２０２は、無線制御装置１００から受信した測定指示によって指定されている測定を行うように構成されている。
【００４４】
例えば、図３に示すように、測定部２０２は、上述の第１時間差（Ｒｏｕｎｄ  Ｔｒｉｐ  Ｔｉｍｅ）を測定するように構成されている。
【００４５】
測定結果通知部２０３は、測定部２０２における測定結果（例えば、第１時間差）を、無線制御装置１００に転送するように構成されている。
【００４６】
また、図２に示すように、移動局４００は、共通制御チャネル受信部４０１と、無線基地局情報通知部４０２と、測定部４０３と、測定結果通知部４０４とを具備している。
【００４７】
共通制御チャネル受信部４０１は、移動局４００が、無線基地局２００（第１無線基地局）との間で通信を行っている間に、無線基地局２０１（第２無線基地局）によって共通制御チャネルを介して送信された無線基地局２０１（第２無線基地局）に係る情報を取得するように構成されている。
【００４８】
具体的には、共通制御チャネル受信部４０１は、無線基地局２０１（第２無線基地局）における共通制御チャネル送信用として割り当てられている周波数と送信タイミングと拡散符号とを用いて、かかる共通制御チャネルを介して送信された無線基地局２０１（第２無線基地局）に係る情報を取得するように構成されている。
【００４９】
無線基地局情報通知部４０２は、共通制御チャネル受信部４０１によって取得された無線基地局２０１（第２無線基地局）に係る情報を、無線基地局２００（第１無線基地局）を介して無線制御装置１００に送信するように構成されている。
【００５０】
測定部４０３は、無線制御装置１００から受信した測定指示によって指定されている測定を行うように構成されている。
【００５１】
例えば、図３に示すように、測定部４０３は、上述の第２時間差（送受信タイミング差）を測定するように構成されている。
【００５２】
測定結果通知部４０４は、測定部４０３における測定結果例えば、第２時間差）を、無線制御装置１００に転送するように構成されている。
【００５３】
また、図２に示すように、上位ノード５００は、位置情報要素取得部５０１と、位置情報算出部５０２と、位置情報提供部５０３とを具備している。
【００５４】
位置情報要素取得部５０１は、任意の移動局等から送信された移動局４００についての位置情報要求に応じて、無線制御装置１００に対して、移動局４００の位置情報の算出に必要な情報（位置情報要素）の送信を要求する位置情報要素要求を送信することによって、移動局４００に係る位置情報要素を取得するように構成されている。
【００５５】
ここで、位置情報要素には、移動局４００が収容されている無線基地局の設置情報や、上述の第１時間差や、上述の第２時間差等が含まれている。
【００５６】
位置情報算出部５０２は、位置情報要素取得部５０１によって取得された位置情報要素（測定結果を含む）に応じて、移動局４００の位置情報を決定して管理するように構成されている。
【００５７】
ここで、位置情報算出部５０２は、上述の測定結果に加えて、無線基地局２００或いは２０１の設置位置、又は、無線基地局２００或いは無線基地局２０１によって管理されているセルの中央位置に基づいて、移動局４００の位置情報を決定するように構成されていてもよい。
【００５８】
具体的には、位置情報算出部５０２は、上述の第１時間差から上述の第２時間差を減算することによって、移動局４００と無線基地局２００又は２０１との間の遅延時間を算出する。
【００５９】
そして、位置情報算出部５０２は、図４に示すように、かかる遅延時間によって規定される同心円Ｘ（中心を、無線基地局２００又は２０１の設置位置とする）を、移動局４００の在圏セクタ＃２によって分割することによって得られた弧の中点Ｙを、移動局４００の位置情報と推定する。
【００６０】
位置情報提供部５０３は、上述の位置情報要求の送信元である任意の移動局等に対して、位置情報算出部５０２によって決定された移動局４００の位置情報を提供するように構成されている。
【００６１】
（本発明の第１の実施形態に係る移動通信システムの動作）
図５を参照して、本発明の第１の実施形態に係る移動通信システムの動作について説明する。
【００６２】
図５に示すように、ステップＳ１００１において、無線基地局２００（第１無線基地局）との間で通信を行っている移動局４００は、無線基地局２０１（第２無線基地局）によって共通制御チャネルを介して送信された無線基地局２０１（第２無線基地局）に係る情報を取得する。
【００６３】
ステップ１００２において、移動局４００は、無線基地局２００を介して、無線制御装置１００に対して、無線基地局２０１に係る情報を通知する。
【００６４】
ステップＳ１００３において、無線基地局２０１に係る情報を受信した無線制御装置１００は、無線基地局２００（或いは、無線基地局２０１）に対して、上述の第１時間差（Ｒｏｕｎｄ  Ｔｒｉｐ  Ｔｉｍｅ）を測定するように指示し、移動局４００に対して、上述の第２時間差（送受信タイミング差）を測定するように指示する。
【００６５】
ステップＳ１００４において、無線基地局２００（或いは、無線基地局２０１）及び移動局４００は、受信した測定指示に従って、それぞれ、第１時間差及び第２時間差を測定する。
【００６６】
ステップＳ１００５において、無線基地局２００（或いは、無線基地局２０１）及び移動局４００は、それぞれ、かかる測定結果（第１時間差及び第２時間差）を、無線制御装置１００に通知する。
【００６７】
ステップＳ１００６において、無線制御装置１００は、受信した測定結果（第１時間差及び第２時間差）及び無線基地局２００の設置情報を、無線基地局２０１との間で通信を行っている場合の移動局４００の位置情報を算出するための位置情報要素として保持する。
【００６８】
ステップＳ１００７において、移動局４００が、無線基地局２０１との間で通信を開始した後に、移動局５００が、上位ノード５００に対して、移動局４００（移動局４００を持つユーザ）の位置情報を要求するための位置情報要求を送信する。
【００６９】
ステップＳ１００８において、上位ノード５００は、無線制御装置１００に対して、移動局４００の位置情報の算出に必要な位置情報要素を送信するように要求する位置情報要素要求を送信する。
【００７０】
ステップＳ１００９において、無線制御装置１００は、受信した位置情報要素要求に応じて、ステップＳ１００６において保持した移動局４００に係る位置情報要素を、上位ノード５００に送信する。
【００７１】
ステップＳ１０１０において、上位ノード５００は、受信した位置情報要素を用いて、無線基地局２０１との間で通信を行っている移動局４００の位置情報（緯度・経度）を算出する。
【００７２】
ステップＳ１０１１において、上位ノード５００は、算出した移動局４００の位置情報を、移動局５００に提供する。
【００７３】
なお、一般的に、ホーム無線基地局によって管理されているエリア（セル）は、ユーザの家屋のみをカバーできればよいため、超小型なエリアとして形成されている。したがって、移動局４００によって無線基地局２０１から共通制御チャネルを介して無線基地局２０１に係る情報が受信された時点における移動局４００の位置情報は、無線基地局２０１との間で通信を行っている状態の移動局４００の位置情報と、ほぼ等しいものと看做すことができる。
【００７４】
また、図５に示すシーケンスでは、移動局４００が、無線基地局２００との間で通信を行っている状態で、無線基地局２０１から共通制御チャネルを介して無線基地局２０１に係る情報を受信した場合について例示しているが、本発明は、かかる場合に限定されることはない。
【００７５】
例えば、移動局４００が、無線基地局２０１との間で通信を行っている状態で、無線基地局２００から共通制御チャネルを介して無線基地局２００に係る情報を受信した場合に、当該移動局４００が、無線基地局２００にハンドオーバした後、無線制御装置１００が、即座に、無線基地局２００及び移動局４００に対して、上述の測定指示を送信することにより、無線基地局２０１との間で通信を行っている状態の移動局４００の位置情報の取得を行うことができる。
【００７６】
（本発明の第１の実施形態に係る移動通信システムの作用・効果）
本発明の第１の実施形態に係る移動通信システムによれば、ネットワーク装置が、ホーム無線基地局２０１から共通制御チャネルを介して送信される情報を受信可能な状態の移動局４００と、公衆通信用無線基地局２００（又は、ホーム無線基地局２０１）との間の遅延時間に基づいて、当該ホーム無線基地局２０１の位置情報を算出することができるため、当該ホーム無線基地局２０１にＧＰＳ機能や共通制御チャネル受信用の受信機能等を実装させることなく、当該ホーム無線基地局２０１と通信を行っている状態の移動局４００の位置情報を高精度に管理することができる。
【００７７】
（変更例１）
上述の実施形態では、Ｗ-ＣＤＭＡ方式の移動通信システムを例に挙げて説明されているが、本発明は、かかる移動通信システムに限定されるものではなく、例えば、図６に示すように、ＬＴＥ（Ｌｏｎｇ  Ｔｅｒｍ  Ｅｖｏｌｕｔｉｏｎ）方式の移動通信システムにも適用可能である。
【００７８】
かかる場合、上述の無線制御装置１００の一部機能（例えば、位置測定指示部５０４や測定結果管理部５０５等）は、上位ノード５００（交換局ＭＭＥ）に搭載されていてもよい。
【００７９】
ここで、本変更例では、交換局ＭＭＥが、上述のネットワーク装置の役割を果たすように構成されている。
【００８０】
（変更例２）
図７を参照して、本発明の変更例２に係る移動通信システムについて説明する。以下、本発明の変更例２に係る移動通信システムについて、本発明の第１の実施形態に係る移動通信システムとの相違点に着目して説明する。
【００８１】
図７に示すように、本発明の変更例２に係る移動通信システムは、Ｗ-ＣＤＭＡ方式の移動通信システムであって、上位ノード５００と、上位ノード５００に収容されている無線制御装置１００と、無線制御装置１００に収容されている集約装置ＨＮＢ-ＧＷ及び無線基地局２００と、集約装置ＨＮＢ-ＧＷに収容されている無線基地局２０１とを具備している。
【００８２】
かかる場合、上述の無線制御装置１００の一部機能（例えば、位置測定指示部５０４や測定結果管理部５０５等）は、集約装置ＨＮＢ-ＧＷに搭載されていてもよい。
【００８３】
また、集約装置ＨＮＢ-ＧＷは、上位ノード５００に収容されていてもよい。
【００８４】
なお、上述の移動局４００や無線基地局２００、２０１や上位ノード５００や無線制御装置１００や集約装置ＨＮＢ-ＧＷの動作は、ハードウェアによって実施されてもよいし、プロセッサによって実行されるソフトウェアモジュールによって実施されてもよいし、両者の組み合わせによって実施されてもよい。
【００８５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局４００や無線基地局２００、２０１や上位ノード５００や無線制御装置１００や集約装置ＨＮＢ-ＧＷ内に設けられていてもよい。また、かかる記憶媒体及びプロセッサは、ディスクリートコンポーネントとして移動局４００や無線基地局２００、２０１や上位ノード５００や無線制御装置１００や集約装置ＨＮＢ-ＧＷ内に設けられていてもよい。
【００８７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
2009145211.tif 000003
【図２】
2009145211.tif 000004
【図３】
2009145211.tif 000005
【図４】
2009145211.tif 000006
【図５】
2009145211.tif 000007
【図６】
2009145211.tif 000008
【図７】
2009145211.tif 000009
【国際調査報告】
2009145211.tif 000010
2009145211.tif 000011